(57)【要約】【課題】起動時に表示される画像乱れを、ユーザが認識してしまうことを防ぐことが可能な画像表示装置、画像処理装置、画像表示方法及びプログラムを提供する。【解決手段】起動時に表示用の表示データを送信する送信手段と、前記送信手段が送信した前記表示データを受信する受信手段と、前記受信手段が受信した前記表示データを表示パネルに表示出力させる表示制御手段と、前記受信手段が受信する前記表示データの有無を判定する判定手段と、前記判定手段が前記表示データがないと判定した場合に、前記表示パネルを背面から照明するバックライトを消灯し、前記判定手段が前記表示データがあると判定した場合に、前記バックライトを点灯するバックライト制御手段と、を備える。【選択図】図２
2018004703.tif 000002
【特許請求の範囲】
【請求項１】
起動時に表示用の表示データを送信する送信手段と、
前記送信手段が送信した前記表示データを受信する受信手段と、
前記受信手段が受信した前記表示データを表示パネルに表示出力させる表示制御手段と、
前記受信手段が受信する前記表示データの有無を判定する判定手段と、
前記判定手段が前記表示データがないと判定した場合に、前記表示パネルを背面から照明するバックライトを消灯し、前記判定手段が前記表示データがあると判定した場合に、前記バックライトを点灯するバックライト制御手段と、
を備える画像表示装置。
【請求項２】
前記受信手段が受信した前記表示データを保持する表示データ保持手段を更に備え、
前記バックライト制御手段は、前記判定手段が前記表示データがないと判定した場合に、前記表示データ保持手段が保持する前記表示データを前記表示パネルに出力させた後、前記バックライトを消灯する請求項１に記載の画像表示装置。
【請求項３】
前記バックライト制御手段は、前記判定手段が前記表示データがないと判定した場合に、前記バックライトを段階的に消灯する請求項１又は２に記載の画像表示装置。
【請求項４】
前記起動時に前記送信手段の初期化を行う初期化手段を更に備え、
前記送信手段は、前記初期化の前後で前記表示データを送信する請求項１〜３の何れか一項に記載の画像表示装置。
【請求項５】
前記送信手段は、前記初期化の前後で表示内容の異なる前記表示データを送信する請求項４に記載の画像表示装置。
【請求項６】
各種画像処理を行い、当該画像処理に必要なデータを画像表示部が表示手段に表示する画像処理装置であって、
前記画像表示部として、請求項１〜５の何れか一項に記載の画像表示装置を備えたことを特徴とする画像処理装置。
【請求項７】
起動時に表示用の表示データを送信する送信ステップと、
前記送信ステップで送信された前記表示データを受信する受信ステップと、
前記受信ステップで受信された前記表示データを表示パネルに表示出力させる表示制御ステップと、
前記受信ステップが受信する前記表示データの有無を判定する判定ステップと、
前記判定ステップで前記表示データがないと判定された場合に、前記表示パネルを背面から照明するバックライトを消灯し、前記判定ステップで前記表示データがあると判定された場合に、前記バックライトを点灯するバックライト制御ステップと、
を含む画像表示方法。
【請求項８】
画像表示装置のコンピュータを、
起動時に表示用の表示データを送信する送信手段と、
前記送信手段が送信した前記表示データを受信する受信手段と、
前記受信手段が受信した前記表示データを表示パネルに表示出力させる表示制御手段と、
前記受信手段が受信する前記表示データの有無を判定する判定手段と、
前記判定手段が前記表示データがないと判定した場合に、前記表示パネルを背面から照明するバックライトを消灯し、前記判定手段が前記表示データがあると判定した場合に、前記バックライトを点灯するバックライト制御手段と、
して機能させるためのプログラム。
【発明の詳細な説明】
【技術分野】
【０００１】
本発明は、画像表示装置、画像処理装置、画像表示方法及びプログラムに関する。
【背景技術】
【０００２】
従来、複合装置、複写装置、プリンタ装置、スキャナ装置等の装置では、操作部に、操作内容や各種情報をユーザに通知するための表示部が設けられている。係る装置では、起動時にその起動状況等を表示部（操作部）に表示することが行われている。また、従来、装置のメイン制御部が搭載していた表示制御部を操作部に搭載させ、メイン制御部から送信した表示データを、操作部の表示制御部により表示部に表示する技術が提案されている（例えば、特許文献１参照）。
【発明の概要】
【発明が解決しようとする課題】
【０００３】
ところで、上記した従来技術の構成では、装置の起動に伴いメイン制御部の初期化が行われることになる。そのため、起動時にはメイン制御部の初期化に伴って、メイン制御部から操作部に送信する表示データが途切れる等不安定な状態となり、表示部（操作部）には乱れた画像が表示されることになる。この現象は装置の動作上何ら問題はないが、画像乱れが発生した画面を見たユーザが、障害発生と認識してしまう可能性もあるため、改善することが望まれている。
【０００４】
本発明は、上記に鑑みてなされたものであって、起動時に表示される画像乱れを、ユーザが認識してしまうことを防ぐことが可能な画像表示装置、画像処理装置、画像表示方法及びプログラムを提供することを目的とする。
【課題を解決するための手段】
【０００５】
上述した課題を解決し、目的を達成するために、本発明は、起動時に表示用の表示データを送信する送信手段と、前記送信手段が送信した前記表示データを受信する受信手段と、前記受信手段が受信した前記表示データを表示パネルに表示出力させる表示制御手段と、前記受信手段が受信する前記表示データの有無を判定する判定手段と、前記判定手段が前記表示データがないと判定した場合に、前記表示パネルを背面から照明するバックライトを消灯し、前記判定手段が前記表示データがあると判定した場合に、前記バックライトを点灯するバックライト制御手段と、を備える。
【発明の効果】
【０００６】
本発明によれば、起動時に表示される画像乱れをユーザが認識してしまうことを防ぐことができる。
【図面の簡単な説明】
【０００７】
【図１】図１は、第１の実施形態に係る画像処理装置の構成の一例を模式的に示す図である。
【図２】図２は、第１の実施形態に係る画像処理装置の起動シーケンスの一例を示す図である。
【図３】図３は、第１起動画面の一例を模式的に示す図である。
【図４】図４は、画像乱れが生じた第１起動画面の一例を模式的に示す図である。
【図５】図５は、起動画面の画面遷移の一例を模式的に示す図である。
【図６】図６は、第１の実施形態のマイコンが起動時に実行するバックライト制御処理の一例を示すフローチャートである。
【図７】図７は、省エネモードの移行時／復帰時における画像処理装置の動作シーケンスの一例を示す図である。
【図８】図８は、第２の実施形態に係る画像処理装置の構成の一例を模式的に示す図である。
【図９】図９は、第２の実施形態のマイコンが起動時に実行するバックライト制御処理の一例を示すフローチャートである。
【発明を実施するための形態】
【０００８】
以下、添付図面を参照しながら、本発明に係る画像表示装置、画像処理装置、画像表示方法及びプログラムの実施形態を詳細に説明する。なお、以下の実施形態によりこの発明が限定されるものではない。
【０００９】
［第１の実施形態］
図１は、第１の実施形態に係る画像処理装置１の構成の一例を模式的に示す図である。図１に示すように、画像処理装置１は、コントローラ（主制御部）１０、操作部２０及びＬＣＤ３０等を備える。画像処理装置は、例えば複合装置、複写装置、プリンタ装置、スキャナ装置等の画像処理装置である。画像処理装置１は、コントローラ１０の制御下で、画像処理装置１の各部を制御して、各種の画像処理、例えば、コピー処理、プリント処理、スキャナ処理等を実行する。
【００１０】
コントローラ１０は、画像処理装置１のメイン制御部として機能し、ＣＰＵ（Central  Processing  Unit）１１、ＲＯＭ（Read  Only  Memory）１２、ＲＡＭ（Random  Access  Memory）１３及びトランスミッタ１４等を備えている。
【００１１】
ＣＰＵ１１は、本実施形態の初期化手段に対応する。ＣＰＵ１１は、ＲＡＭ１３の所定領域を作業領域とし、ＲＯＭ１２等の記憶装置に予め記憶された各種プログラムとの協働により各種処理を実行することで、画像処理装置１を構成する各部の動作を統括的に制御する。ＣＰＵ１１が実行するプログラムとしては、例えば、ＢＩＯＳ（Basic  Input/Output  System）、ブートローダ、ＯＳ（Operating  System）、ＯＳ上で動作する各種のシステムモジュール等が挙げられる。また、ＣＰＵ１１は、ＲＯＭ１２等の記憶装置に記憶された画像表示用のプログラムに基づいて、画像処理装置１の起動時（電源オン時）に起動画面を表示するための画像処理方法を実行する。
【００１２】
また、ＣＰＵ１１は、ＬＣＤコントローラ１１ａを搭載する。ＬＣＤコントローラ１１ａは、ＬＣＤ３０に表示させる表示データをトランスミッタ１４に出力する。例えば、ＬＣＤコントローラ１１ａは、画像処理装置１の起動時（電源オン時）に、ＲＯＭ１２に記憶された表示データを読み出して、トランスミッタ１４に出力する。
【００１３】
トランスミッタ１４は、データバスやクロック信号線等を介して、操作部２０のレシーバ２１に接続されている。トランスミッタ１４は、ＬＣＤコントローラ１１ａから入力された表示データを、レシーバ２１に送信する。本実施形態において、ＬＣＤコントローラ１１ａ及びトランスミッタ１４は、表示データを送信する送信手段に対応する。
【００１４】
操作部２０は、レシーバ２１、バススイッチ２２及びマイコン２３等を有し、コントローラ１０及びＬＣＤ３０に接続されている。
【００１５】
レシーバ２１は、本実施形態の受信手段に対応する。レシーバ２１は、画像処理装置１の起動時において、トランスミッタ１４からデータバス信号やクロック信号が入力されると、マイコン２３に起動通知信号を出力する。また、レシーバ２１は、コントローラ１０から受信した表示データをバススイッチ２２に出力する。
【００１６】
マイコン２３は、本実施形態の表示制御手段、判定手段及びバックライト制御手段に対応する。マイコン２３は、プロセッサとＲＯＭ等に記憶装置に記憶されたプログラムとの協働によって動作するソフトウェア構成としてもよいし、一又は複数の処理回路によって実現されるハードウェア構成としてもよい。
【００１７】
マイコン２３は、レシーバ２１から起動通知信号が入力されると、バススイッチ２２にデータ信号送信指示を出力し、ＬＣＤ３０のバックライト３２を点灯させる。また、マイコン２３は、画像処理装置１の起動時において、レシーバ２１が受信する表示データの有無を判定し、この判定結果に基づいてバックライト３２の点灯／消灯を制御する。また、マイコン２３は、レシーバ２１を介したコントローラ１０とのシリアル通信（図１の破線部参照）が開通すると、コントローラ１０からの指示に応じてバックライト３２の点灯／消灯を制御する。
【００１８】
バススイッチ２２は、マイコン２３とともに本実施形態の表示制御手段に対応する。バススイッチ２２は、マイコン２３からデータ信号送信指示を受け付けると、レシーバ２１から入力される表示データをＬＣＤ３０（表示パネル３１）に送信することで、当該表示データを表示パネル３１に表示出力させる。
【００１９】
ＬＣＤ３０は、本実施形態の表示手段に対応し、透過型の表示パネル（液晶パネル）３１と、当該表示パネル３１を背面から照明するバックライト３２とを有する。表示パネル３１は、マイコン２３の制御に基づいて、バススイッチ２２から入力される表示データを表示する。また、バックライト３２は、マイコン２３の制御に基づいて、点灯又は消灯する。なお、本実施形態では、ＬＣＤ３０は、操作部２０に搭載される構成とするが、これに限らず、操作部２０と別構成であってもよい。また、バックライト３２は、照明する照度を段階的に変更可能な構成としてもよい。
【００２０】
そして、上記コントローラ１０、操作部２０及びＬＣＤ３０は、画像処理装置１の要部であるとともに、画像表示部（画像表示装置）４０としても機能する。また、画像処理装置１は、画像表示部４０を搭載して画像処理する画像処理装置として機能している。
【００２１】
次に、画像処理装置１の起動時（電源オン時）の動作について説明する。図２は、画像処理装置１の起動シーケンスの一例を示す図である。
【００２２】
まず、画像処理装置１の電源がオンされると（ステップＳ１１）、ＣＰＵ１１は、ＢＩＯＳを起動する。次いで、ＣＰＵ１１は、ＢＩＯＳと協働することで、ブートローダをロードし当該ブートローダを起動する（ステップＳ１２）。ブートローダが起動されると、コントローラ１０から、表示データを送信することができるようになる。そこで、ＣＰＵ１１は、画像処理装置１の起動中を示す表示データ（第１起動画面）を、操作部２０を介してＬＣＤ３０（表示パネル３１）に送信することで、第１起動画面を表示パネル３１に表示させる（ステップＳ１３）。
【００２３】
また、操作部２０のマイコン２３は、レシーバ２１を介してコントローラ１０から表示データを受信したことを検知すると、ＬＣＤ３０のバックライト３２を点灯させる（ステップＳ１４）。このバックライト３２の点灯により、表示パネル３１に表示された第１起動画面が背面から照明されることになるため、当該第１起動画面が視認可能な状態でユーザに提示される。なお、表示パネル３１に第１起動画面が表示されていても、バックライト３２が消灯状態の場合には、表示パネル３１は真っ暗（黒一色）に見えるため、第１起動画面を視認することは困難となる。
【００２４】
図３は、第１起動画面の一例を模式的に示す図である。図３では、第１起動画面Ｇ１として画像処理装置１の起動中を表すメッセージ「Ｐｌｅａｓｅ  ｗａｉｔ」を表示した例を示している。なお、第１起動画面Ｇ１は、これに限らないものとする。
【００２５】
続いて、ＣＰＵ１１は、ブートローダと協働することで、ＯＳをロードするとともに（ステップＳ１５）、当該ＯＳ上で動作する各種のシステムモジュールをロードする（ステップＳ１６）。次いで、ＣＰＵ１１は、ステップＳ１５でロードしたＯＳを起動し（ステップＳ１７）、ＯＳの管理下で動作する各部を初期化する（ステップＳ１８）。
【００２６】
このとき、コントローラ１０では、ＯＳの起動に伴い、表示データの送出に係るＬＣＤコントローラ１１ａやトランスミッタ１４の初期化が行われる。そのため、起動時には、コントローラ１０から操作部２０に送信する表示データが途切れる等、不安定な状態となり、表示中の画像（起動画面）に乱れが生じることになる。
【００２７】
図４は、画像乱れが生じた第１起動画面の一例を模式的に示す図である。ＬＣＤコントローラ１１ａやトランスミッタ１４の初期化に伴い表示データの送信が一時的に途切れると、ＬＣＤ３０の表示パネル３１には、図４に示すようにノイズＮＺが重畳したような乱れた画像が表示されることになる。この現象は画像処理装置１の動作上何ら問題はないが、画像乱れが発生した画面を見たユーザが、障害発生と認識してしまう可能性がある。
【００２８】
そこで、本実施形態では、操作部２０のマイコン２３が、レシーバ２１が受信する表示データの有無を判定し、表示データがないと判定した場合に、バックライト３２を消灯させる（ステップＳ１９）。より詳細には、マイコン２３は、レシーバ２１（又はバススイッチ２２）による表示データの受信状態を監視しており、表示データを受信している間、バックライト３２の点灯状態を維持し、表示データの受信が途絶えたことを検知すると、バックライト３２を消灯させる。このバックライト３２の消灯により、表示パネル３１は黒一色となるため、表示パネル３１に表示される画像乱れを軽減することができ、当該画像乱れがユーザに認識されてしまうことを防ぐことができる。
【００２９】
なお、マイコン２３は、バックライト３２を消灯させる際、点灯から消灯に一度に切り替えてもよいし、段階的に消灯させる構成としてもよい。また、コントローラ１０から送信される表示データが断続的に途切れるような場合、マイコン２３は、表示データが安定して送信されるまでの間、バックライト３２を消灯させてもよい。この場合、マイコン２３は、例えば、表示データの受信を検知しても直ちにバックライト３２を点灯させず、当該表示データの受信を所定時間（例えば、１秒等）確認できた場合に、バックライト３２を点灯させる。
【００３０】
コントローラ１０では、初期化が完了すると、表示データの送信を再び行うことが可能となる。そこで、ＣＰＵ１１は、画像処理装置１（ＯＳ）の起動中を示す表示データ（第２起動画面）を、操作部２０を介してＬＣＤ３０（表示パネル３１）に送信することで、第２起動画面を表示パネル３１に表示させる（ステップＳ２０）。
【００３１】
また、操作部２０のマイコン２３は、レシーバ２１を介してコントローラ１０から表示データを受信したことを検知すると、ＬＣＤ３０のバックライト３２を点灯させる（ステップＳ２１）。このバックライト３２の点灯により、表示パネル３１に表示された第１起動画面が背面から照明されることになるため、当該第２起動画面が視認可能な状態でユーザに提示される。
【００３２】
続いて、ＣＰＵ１１は、ステップＳ１６でロードしたシステムモジュールの起動を開始する（ステップＳ２２）。そして、ＣＰＵ１１は、画像処理装置１（システムモジュール）を起動中であることを示す表示データ（第３起動画面）を、操作部２０を介してＬＣＤ３０に送信することで、第３起動画面をＬＣＤ３０に表示させる（ステップＳ２３）。このとき、バックライト３２は点灯されているため、表示パネル３１に表示された第３起動画面が、視認可能な状態でユーザに提示される。
【００３３】
システムモジュールの起動が完了した後は、コントローラ１０と操作部２０（マイコン２３）との間のシリアル通信が開通するため、コントローラ１０からバックライト３２の点灯／消灯をマイコン２３に指示することが可能となる。マイコン２３は、コントローラ１０からバックライト３２の点灯又は消灯が指示されると、その指示内容に従いバックライト３２を点灯又は消灯する。
【００３４】
なお、ステップＳ２０及びＳ２３で表示する第２起動画面及び第３起動画面は、第１起動画面（図３参照）と同じ表示内容としてもよいし、異なる表示内容としてもよい。例えば、図５に示すように、第１起動画面〜第３起動画面のそれぞれで表示内容を変化させてもよい。
【００３５】
図５は、起動画面の画面遷移の一例を模式的に示す図である。ここで、第１起動画面Ｇ１は、図３と同様のメッセージ「Ｐｌｅａｓｅ  ｗａｉｔ」を表示している。次に表示される、第２起動画面Ｇ２では、メッセージ「Ｐｌｅａｓｅ  ｗａｉｔ」の下部に下線を表示した例を示している。そして、次に表示される第３起動画面Ｇ３では、メッセージ「Ｐｌｅａｓｅ  ｗａｉｔ」周辺の表示色を反転（白黒反転）させた例を示している。このように、第１起動画面〜第３起動画面の各々で表示する起動画面を変化させることで、起動シーケンスの進捗状況を認識することができるため、起動時の違和感を軽減させることができる。なお、起動画面の画面遷移は、図５の例に限らないものとする。例えば、プログレスバー等の進捗状況を視覚的に表す画像を、各段階の起動画面に表示させてもよい。
【００３６】
次に、図６を参照して、画像処理装置１の起動時におけるマイコン２３の動作について説明する。図６は、マイコン２３が起動時に実行するバックライト制御処理の一例を示すフローチャートである。
【００３７】
まず、画像処理装置１の電源がオンされると（ステップＳ３１）、マイコン２３は、レシーバ２１から起動通知信号が入力されるまで待機する（ステップＳ３２；Ｎｏ）。起動通知信号が入力されると（ステップＳ３２；Ｙｅｓ）、マイコン２３は、バススイッチ２２にデータ信号送信指示を出力することで、レシーバ２１が受信した表示データを表示パネル３１に表示出力させる（ステップＳ３３）。また、マイコン２３は、バックライト３２を点灯させる（ステップＳ３４）。これにより、コントローラ１０から送信された第１起動画面は、視認可能な状態でＬＣＤ３０に表示される。
【００３８】
続いて、マイコン２３は、表示データの受信状態に変化を検出したか否かを判定する（ステップＳ３５）。ここで、コントローラ１０での初期化により、コントローラ１０から送信される表示データが途切れると、マイコン２３は、表示データの受信状態が有から無に変化したことを検知する（ステップＳ３５；Ｙｅｓ→ステップＳ３６；Ｎｏ）。この場合、マイコン２３は、バックライト３２を消灯した後（ステップＳ３７）、ステップＳ３５に戻る。
【００３９】
また、コントローラ１０での初期化の完了により、表示データの送信が再開されると、マイコン２３は、表示データの受信状態が無から有に変化したことを検知する（ステップＳ３５；Ｙｅｓ→ステップＳ３６；Ｙｅｓ）。この場合、マイコン２３は、バックライト３２を点灯した後（ステップＳ３８）、ステップＳ３５に戻る。
【００４０】
また、マイコン２３は、表示データの受信状態が変化しない場合（ステップＳ３５；Ｎｏ）、コントローラ１０とのシリアル通信が開通したか否かを判定する（ステップＳ３９）。コントローラ１０とのシリアル通信が未開通の場合（ステップＳ３９；Ｎｏ）、マイコン２３は、ステップＳ３５に処理を戻す。一方、コントローラ１０とのシリアル通信が開通した場合（ステップＳ３９；Ｙｅｓ）、マイコン２３は、バックライト３２の制御モードを、コントローラ１０からの指示に応じて行う制御モード（以下、外部制御モードという）に変更し（ステップＳ４０）、本処理を終了する。
【００４１】
このように、マイコン２３は、レシーバ２１が表示データを受信している間バックライト３２を点灯させ、表示データが途絶えるとバックライト３２を消灯させる。これにより、コントローラ１０の初期化により、当該コントローラ１０から送信される表示データが一時的に途絶えた場合に、表示パネル３１に表示される表示データを見えなくすることができるため、画像乱れがユーザに認識されてしまうことを防ぐことができる。
【００４２】
なお、外部制御モード下では、マイコン２３は、コントローラ１０からの指示に応じてＬＣＤ３０のバックライト３２の点灯／消灯を制御する。例えば、マイコン２３は、未使用時の消費電力を低減させる省エネルギーモード（以下、省エネモードと記す）への移行時において、コントローラ１０からバックライト３２のオフが指示されると、ＬＣＤ３０のバックライト３２を消灯させる。以下、図７を参照して、外部制御モード下におけるバックライト３２の制御の一例について説明する。
【００４３】
図７は、省エネモードの移行時／復帰時における画像処理装置１の動作シーケンスの一例を示す図である。まず、ＣＰＵ１１は、省エネモードの移行／復帰を制御するシステムモジュールに対し、省エネモードへの移行を指示する（ステップＳ５１）。システムモジュールは、ＣＰＵ１１からの指示に応じて、ＬＣＤ３０（バックライト３２）をオフとする指示をＯＳに指示する（ステップＳ５２）。ＯＳは、システムモジュールからの指示に応じて、操作部２０のマイコン２３に対しバックライト３２のオフを指示する（ステップＳ５３）。
【００４４】
操作部２０のマイコン２３は、コントローラ１０からの指示を待機しており、コントローラ１０からバックライト３２のオフが指示されると、バックライト３２を消灯させる（ステップＳ５４）。そして、システムモジュールは、画像処理装置１の動作を省エネモードに移行させる（ステップＳ５５）。
【００４５】
一方、省エネモードから復帰する場合には、ＣＰＵ１１は、省エネモードの移行／復帰を制御するシステムモジュールに対し、省エネモードからの復帰を指示する（ステップＳ６１）。システムモジュールは、ＣＰＵ１１からの指示に応じて、画像処理装置１を省エネモードから復帰させる（ステップＳ６２）。ステップＳ６２の処理により、画像処理装置１の電力消費量が、省エネモードに移行する前の状態に戻される。
【００４６】
続いて、システムモジュールは、ＬＣＤ３０（バックライト３２）をオンとする指示をＯＳに指示する（ステップＳ６３）。ＯＳは、システムモジュールからの指示に応じて、操作部２０のマイコン２３に対しバックライト３２のオンを指示する（ステップＳ６４）。
【００４７】
そして、操作部２０のマイコン２３は、コントローラ１０からバックライト３２のオンが指示されると、バックライト３２を点灯させる（ステップＳ６５）。
【００４８】
なお、画像処理装置１のシャットダウン時には、ＬＣＤ３０をオフとする制御を行うが、このシャットダウンの途中で、コントローラ１０と操作部２０（マイコン２３）との通信が不通となる。外部制御モードでは、マイコン２３は、コントローラ１０の指示に従いバックライト３２を点灯／消灯させるため、コントローラ１０と操作部２０との間の通信が不用意に切断されると、バックライト３２を制御できなくなる。
【００４９】
そこで、例えば、シャットダウンの開始時に、コントローラ１０から操作部２０のマイコン２３に待機時間（例えば、５秒後）を通知し、マイコン２３はこの通知された時間待機した後、バックライト３２を消灯する構成としてもよい。なお、待機時間は、シャットダウンが終了するまでの時間内で設定するものとする。例えば、待機時間を、シャットダウンの終了時間とすることで、画像処理装置１の電源が切れるタイミングと、バックライト３２がオフされるタイミングとを合わせることができる。
【００５０】
［第２の実施形態］
図８は、第２の実施形態に係る画像処理装置５０の構成の一例を模式的に示す図である。なお、上述した第１の実施形態の画像処理装置１と同様の要素については、同一の符号を付与し説明を省略する。
【００５１】
図８において、画像処理装置５０は、第１の実施形態と同様のコントローラ１０とＬＣＤ３０とを備えているとともに、操作部６０を備えている。
【００５２】
操作部６０は、第１の実施形態と同様のレシーバ２１と、バススイッチ２２とを備えているとともに、表示データ保持部６１及びマイコン６２を備えている。
【００５３】
コントローラ１０、操作部６０及びＬＣＤ３０は、画像処理装置５０の要部であるとともに、画像表示部（画像表示装置）５１としても機能している。
【００５４】
表示データ保持部６１は、例えば揮発性の記憶媒体であり、本実施形態の表示データ保持手段に対応する。表示データ保持部６１は、マイコン６２の制御の下、コントローラ１０から送信された表示データを保持する。
【００５５】
マイコン６２は、本実施形態の表示制御手段、判定手段及びバックライト制御手段に対応する。マイコン６２は、第１の実施形態のマイコン２３と同様の機能を有する。また、マイコン６２は、レシーバ２１からバススイッチ２２に入力される表示データを、表示データ保持部６１に保持させる。また、マイコン６２は、表示データ保持部６１に保持された表示データをバススイッチ２２から送信させることで、当該表示データを表示パネル３１に表示出力させる。
【００５６】
次に、図９を参照して、画像処理装置５０の起動時におけるマイコン６２の動作について説明する。図９は、マイコン６２が起動時に実行するバックライト制御処理の一例を示すフローチャートである。
【００５７】
まず、画像処理装置５０の電源がオンされると（ステップＳ７１）、マイコン６２は、レシーバ２１から起動通知信号が入力されるまで待機する（ステップＳ７２；Ｎｏ）。起動通知信号が入力されると（ステップＳ７２；Ｙｅｓ）、マイコン６２は、バススイッチ２２にデータ信号送信指示を出力することで、レシーバ２１が受信した表示データを表示パネル３１に表示出力させる（ステップＳ７３）。また、マイコン６２は、バックライト３２を点灯させる（ステップＳ７４）。これにより、コントローラ１０から送信された第１起動画面は、視認可能な状態でＬＣＤ３０に表示される。
【００５８】
続いて、マイコン６２は、レシーバ２１が受信している表示データを表示データ保持部６１に保持させる（ステップＳ７５）。次いで、マイコン６２は、レシーバ２１（又はバススイッチ２２）を監視し、表示データの受信状態に変化を検出したか否かを判定する（ステップＳ７６）。
【００５９】
ここで、コントローラ１０での初期化により、コントローラ１０から送信される表示データが途切れると、マイコン６２は、表示データが有から無に変化したことを検知する（ステップＳ７６；Ｙｅｓ→ステップＳ７７；Ｎｏ）。この場合、マイコン６２は、表示データ保持部６１に保持された表示データをバススイッチ２２から送信させることで、当該表示データを表示パネル３１に表示出力させる（ステップＳ７８）。また、マイコン６２は、バックライト３２を段階的に消灯させ（ステップＳ７９）、ステップＳ７６に戻る。これにより、表示パネル３１には、表示データ保持部６１に保持された第１起動画面が視認可能な状態で表示されるとともに、当該第１起動画面が黒一色に段階的に切り替えられる。
【００６０】
また、コントローラ１０での初期化の完了により、表示データの送信が再開されると、マイコン６２は、表示データが無から有に変化したことを検知する（ステップＳ７６；Ｙｅｓ→ステップＳ７７；Ｙｅｓ）。この場合、マイコン６２は、レシーバ２１が受信した表示データをバススイッチ２２から送信させることで、当該表示データを表示パネル３１に表示出力させる（ステップＳ８０）。また、マイコン６２は、バックライト３２を点灯させ（ステップＳ８１）、ステップＳ７６に戻る。これにより、コントローラ１０から送信された表示データが視認可能な状態でＬＣＤ３０に表示される。なお、マイコン６２は、表示データが無から有に変化したことを検知した際に、その表示データを表示データ保持部６１に保持させてもよい。
【００６１】
また、マイコン６２は、表示データの受信状態が変化しない場合（ステップＳ７６；Ｎｏ）、コントローラ１０とのシリアル通信が開通したか否かを判定する（ステップＳ８２）。コントローラ１０とのシリアル通信が未開通の場合（ステップＳ８２；Ｎｏ）、マイコン６２は、ステップＳ７６に処理を戻す。一方、コントローラ１０とのシリアル通信が開通した場合（ステップＳ８２；Ｙｅｓ）、マイコン６２は、バックライト３２の制御モードを外部制御モードに変更し（ステップＳ８３）、本処理を終了する。
【００６２】
以上のように、第２の実施形態によれば、マイコン２３は、レシーバ２１が表示データを受信している間バックライト３２を点灯させ、表示データが途絶えると、保持しておいた表示データに表示を切り替えた後、バックライト３２を段階的に消灯させる。これにより、コントローラ１０の初期化により、当該コントローラ１０から送信される表示データが一時的に途絶えた場合に、表示パネル３１に表示される表示データを見えなくすることができるため、画像乱れがユーザに認識されてしまうことを防ぐことができる。また、画像乱れのない表示状態を保ったまま、段階的に見えなくすることができるため、画面の切り替えに係る違和感を軽減することができる。
【００６３】
なお、表示データ保持部６１を用いたバックライト制御は、画像処理装置５０の起動時に限らないものとする。例えば、省エネモードへの移行時において、マイコン６２は、バックライト３２を消灯させる際に、上記したステップＳ７８、Ｓ７９と同様の処理を行ってもよい。また、この場合、コントローラ１０は、省エネモードへの移行前に表示データの保持をマイコン６２に指示し、マイコン６２は、このコントローラ１０からの指示に応じて、表示データ保持部６１に表示データを保持させる構成としてもよい。
【００６４】
以上、本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【００６５】
例えば、上記実施形態では、画像処理装置１の電源をオンした際の起動処理について説明したが、これに限らず、再起動時であっても同様の処理が行われるものとする。
【００６６】
また、上記実施形態の画像処理装置１、５０（画像表示部４０、５１）で実行されるプログラムは、インストール可能な形式または実行可能な形式のファイルでフロッピー（登録商標）ディスク、ＣＤ（Compact  Disc）、ＣＤ−Ｒ（Compact  Disc-Recordable）、ＣＤ−ＲＯＭ（Compact  Disc  Read  Only  Memory）、ＤＶＤ（Digital  Versatile  Disc）、ＳＤメモリカード（SD  memory  card）、ＵＳＢメモリ（Universal  Serial  Bus  memory）等のコンピュータで読み取り可能な記録媒体に記録して提供するように構成してもよい。
【００６７】
また、上記実施形態の画像処理装置１、５０（画像表示部４０、５１）で実行されるプログラムを、インターネット等のネットワークに接続されたコンピュータ上に格納し、ネットワーク経由でダウンロードさせること等により提供するように構成してもよい。
【符号の説明】
【００６８】
１  画像処理装置
１０  コントローラ
１１  ＣＰＵ
１１ａ  ＬＣＤコントローラ
１２  ＲＯＭ
１３  ＲＡＭ
１４  トランスミッタ
２０  操作部
２１  レシーバ
２２  バススイッチ
２３  マイコン
３０  ＬＣＤ
４０  画像表示部
５０  画像処理装置
５１  画像表示部
６０  操作部
６１  表示データ保持部
６２  マイコン
【先行技術文献】
【特許文献】
【００６９】
【特許文献１】特開２０１５−２３１１９５号公報
【図１】
2018004703.tif 000003
【図２】
2018004703.tif 000004
【図３】
2018004703.tif 000005
【図４】
2018004703.tif 000006
【図５】
2018004703.tif 000007
【図６】
2018004703.tif 000008
【図７】
2018004703.tif 000009
【図８】
2018004703.tif 000010
【図９】
2018004703.tif 000011